(57)【特許請求の範囲】
【請求項１】
内孔に雌ねじを設け、底面にビス通し穴を設けた有底筒体と、該有底筒体の雌ねじに螺合でき外端面にドライバー溝を設けた充填雄ねじ体と、該充填雄ねじ体の雌ねじ孔に螺合でき外端に装飾鍔を有する化粧雄ねじ体とからなり、前記有底筒体の一側面に、板状物のエッジを嵌入するための凹溝を、前記雌ねじを設けた内孔に達する深さに形成し、かつ前記内孔に螺挿させた充填雄ねじ体にて前記板状物を固定できるようにしたことを特徴とする板状物壁面固定具。
【発明の詳細な説明】
【技術分野】
【０００１】
本発明は、たとえば、社名、事務所名、部署名などを表示した板状物やミラー等の板状物や展示品の解説ボードなどの板状物を壁面に飾るときに用いて好適な板状物壁面固定具に関するものである。
【背景技術】
【０００２】
従来、この種の板状物を壁面に飾るための固定具として、特開２０００−２６６０１７又は特開２００２−３２６４９７が開示されている。前者は、図７の如く、平板部７１の前面に、板状物Ｂの裏面に形成された係合孔７２に係合する係合舌片７３を斜め上向きに設け、前記平板部７１の後面に、壁面Ｗに係合する針部７４を斜め下向きに設けてなり、しかして針部７４を刺して平板部７１の裏面を壁面Ｗに密着させるようにすると、平板部７１の前面の前記係合舌片７３が斜め上向きになるので、この係合舌片７３に板状物Ｂの裏面に設けた前記係合孔７２を引っ掛けることにより飾ることができる。この前者の固定具は板状物Ｂに隠れて見えない状態になる利点がある。
【０００３】
後者は、図８の如く、板状物Ｂの上部支持具８１と、下部支持具８２とからなり、上部支持具８１は、下面に板状物Ｂの上部を嵌入する上枠体８１′と、該上枠体８１′を壁面Ｗに取付けるためのネジ挿入孔８３を有し、かつ、板状物Ｂの上面溝８４に嵌入する屈曲片８５を有する上部取付金具８６とで構成されている。また、下部支持具８２は、下面に板状物Ｂの下部を嵌入する下枠体８２′と、該下枠体８２′を壁面Ｗに取付けるためのネジ挿入孔８３′を有し、かつ、板状物Ｂの下面溝８４′に嵌入する屈曲片８５′を有する下部取付金具８６′とで構成されている。しかして、ミラー等の板状物Ｂを取付けようとする壁面Ｗの左右同高位置に２つの下部取付金具８６′をビス８７で固定し、該下部取付金具８６′の取付位置から板状物Ｂの高さ相当の位置を画定して壁面Ｗの左右同高位置に２つの上部取付金具８６をビス８８で固定し、これら上部取付金具８６と、下部取付金具８６′との屈曲片８５、８５′に板状物Ｂの上下に嵌入した上枠体８１′と下枠体８２′の溝８４、８４′に嵌入することにより飾れるようにしていた。
【特許文献１】特開２０００−２６６０１７
【特許文献２】特開２００２−３２６４９７
【発明の開示】
【発明が解決しようとする課題】
【０００４】
しかしながら、前者（特開２０００−２６６０１７）は、平板部７１の針部７４を壁面Ｗに刺し、係合舌片７３を板状物Ｂの裏面に、予め、開けた係合孔７２に引っ掛けるだけであって、半永久的に安定して壁面に固定できないという問題があった。また、後者（特開２００２−３２６４９７）は、上部支持具８１と下部支持具８２はそれぞれを構成する上枠体８１′と下枠体８２′の形態、上部取付金具８６と下部取付金具８６′の形態が異なり、製造コストが高くなる上に、壁面Ｗに取付けようとする板状物Ｂはその上縁と下縁が平行になっているものに限られてしまうばかりでなく、上部支持具８１及び下部支持具８２は上枠体８１′と下枠体８２′及び上部取付金具８６と下部取付金具８６′が剥き出しになってしまい体裁が損なわれていた。
【０００５】
本発明は、上記課題を解消すためのもので、その目的とするところは、半永久的に安定して体裁よく壁面に固定でき、しかも、下部支持具も上部支持具も共通部品で安価に製造できる上に、壁面に懸けようとする板状物の形状が方形のものに限られないところの板状物壁面固定具を提供することにある。
【課題を解決するための手段】
【０００６】
上記目的を達成するため、本発明に係る板状物壁面固定具は、内孔に雌ねじを設け、底面にビス通し穴を設けた有底筒体と、該有底筒体の雌ねじに螺合でき外端面にドライバー溝を設けた充填雄ねじ体と、該充填雄ねじ体の雌ねじ孔に螺合でき外端に装飾鍔を有する化粧雄ねじ体とからなり、前記有底筒体の一側面に、板状物のエッジを嵌入するための凹溝を、前記雌ねじを設けた内孔に達する深さに形成し、かつ前記内孔に螺挿させた充填雄ねじ体にて前記板状物を固定できるようにしたことを特徴とするものである。
【発明の効果】
【０００８】
本発明によれば、たとえば、板状物に貫通孔を少なくとも３個所あけ、その貫通孔の位置に対応して壁面上に有底筒体をその底面に設けたビス挿通穴に通したビスでしっかり固定し、該有底筒体の内孔の雌ねじに充填雄ねじ体を螺入し、その充填雄ねじ体の雌ねじ孔に前記板状物にあけた貫通孔に表側から通した化粧雄ねじ体の軸部を螺入するだけで、板状物は半永久的に安定して体裁よく固定でき、しかも、該本願固定具を構成する総ての部品は共通であって安価に製造できるし、壁面に懸けようとする板状物の形状は方形に限らず、どんな形状（たとえば、雲形でも、自然物や人工物の形状など）でも固定できるという優れた効果を奏するものである。
【０００９】
また、請求項２に記載の発明によれば、有底筒体の一側面の凹溝を板状物のエッジの何処に嵌入するかを画定し、その位置に対応する壁面上に有底筒体を凹溝の向きを考慮しつつその底面に設けたビス挿通穴に通したビスで固定し、該有底筒体の凹溝に板状物のエッジを横スベリ状に嵌入させた後、その有底筒体の内孔の雌ねじに充填雄ねじ体を螺入して板状物を締め付ければ、板状物は半永久的に安定して体裁よく固定でき、しかも、その充填雄ねじ体の雌ねじ孔に化粧雄ねじ体の軸部を螺入すれば、板状物を壁面に美麗に飾ることができるという優れた効果を奏するものである。
【発明を実施するための最良の形態】
【００１０】
次に、本発明の実施の態様を添付図面に基づいて説明する。図１は本願固定具（第１型固定具）を示す分解斜視図、図２は同、使用状態を示す断面図、図３は本願固定具（第２型固定具）を示す分解斜視図、図４は同、使用状態を示す断面図、図５は第１型固定具を用いて固定した板状物の正面図、図６は第２型固定具を用いて固定した板状物の正面図である。
【００１１】
図１は本願固定具１の第１例（以下、第１型固定具１という）を示すものである。第１型固定具１は、雌ねじを有する内孔２ａの底面にビス通し穴２ｂを設けた有底筒体２と、該有底筒体２の内孔２ａの雌ねじに螺合できる軸部３ａの外端面に雌ねじ孔３ｂと、該雌ねじ孔３ｂを跨ぐようにドライバー溝３ｃを設けた充填雄ねじ体３と、該充填雄ねじ体３の外端面に設けた雌ねじ孔３ｃに螺合できる軸部４ａの外端に装飾鍔４ｂを設けた化粧雄ねじ体４とからなるものである。
【００１２】
前記有底筒体２、充填雄ねじ体３及び化粧雄ねじ体４は、材質的には自由に決定できるが、全部プラスチックにより形成することも、アルミニウムや金、銀、銅などの金属により形成することも、さらには金属とプラスチックとの複合品として形成することも可能である。
【００１３】
また、前記充填雄ねじ体３の外端面に設けたドライバー溝３ｃは、図示の例では便宜的にマイナス形になっているがプラス形のものであっても良い。さらに、化粧雄ねじ体４の装飾鍔４ｂは前記有底筒体２と同形、同大に形成することが良いが、別個の大きさに形成してもよい。また、化粧雄ねじ体４の装飾鍔４ｂの具体的な装飾方法は問わない。
【００１４】
前記第１型固定具１は、図２の如く、まず、前記有底筒体２をその内孔２ａの底面に設けたビス通し穴２ｂに挿通したビス５により壁面Ｗに固定する。次いで、前記壁面Ｗに固定した有底筒体２の雌ねじ孔２ａに充填雄ねじ体３の軸部３ａをドライバー（図示せず）を利用して螺入させる。この螺入は充填雄ねじ体３の内端が前記ビス５の頭部に当接させると強く締め込むことができる。しかる後、該充填雄ねじ体３の雌ねじ孔３ｂに、予め、板状物Ｂに穿孔した貫通孔６に表側から通した化粧雄ねじ体４の軸部４ａを螺挿することにより板状物Ｂを図５の如く壁面にしっかり固定できるものとなる。
【００１５】
なお、第１型固定具１に用いて板状物Ｂを壁面Ｗに飾る場合、該板状物Ｂは方形のものに限らず、どんな形状（雲形でも、自然物や人工物を模した形状など）でも固定できるものである。たとえば、図示していないが、雲形のような板状物であれば任意の位置（少なくとも三点）に貫通孔をあけ、その貫通孔に対応して壁面上に有底筒体２をその底面に設けたビス挿通穴に通したビス５でしっかり固定し、該有底筒体２の内孔２ａの雌ねじに充填雄ねじ体３を螺入し、該充填雄ねじ体３の雌ねじ孔３ｂに前記板状物Ｂにあけた貫通孔６に表側から通した化粧雄ねじ体４の軸部４ａを螺入することとなる。
【００１６】
図３は本願固定具１の第２例（以下、第２型固定具１という）を示すものである。第２型固定具１は、基本的には上記第１型固定具１と同一構造（同一個所は同一符号で示している）になっているほか、前記有底筒体２の一側面に、前記雌ねじを有する内孔２ａに達する深さの凹溝２ｃを設けている。この凹溝２ｃは前記板状物Ｂのエッジを嵌入するためのものであって、その溝底２ｃ′には嵌入した板状物Ｂのエッジが当接するようになっている。この場合、凹溝２ｃの溝底２ｃ′と板状物Ｂのエッジとの間には緩衝のためにパッキング部材７を介装することもある。
【００１７】
前記凹溝２ｃに嵌入した板状物Ｂの一部は、前記内孔２ａ内にあって、該内孔２ａの雌ねじに充填雄ねじ体３を螺挿させると、その充填雄ねじ体３の内端にて凹溝２ｃの奥側エッジに押し付けられるようになり固定される。この場合、充填雄ねじ体３の内端と板状物Ｂとの間にもパッキング部材８を介装し、当たりをソフトにするとよい。
【００１８】
前記有底筒体２の一側面の凹溝２ｃは、前記有底筒体２の軸方向に対して直角方向（スライス方向）に形成し、板状物Ｂを壁面に対して平行に固定できるようにするのが一般的であるが、前記板状物Ｂを壁面に非平行に（壁面に対して一定傾きもって）固定するような場合を考慮して有底筒体２の軸方向に対して一定の傾斜角に形成することもある。
【００１９】
前記第２型固定具１は、図４の如く、まず、前記凹溝２ｃを有する有底筒体２をその凹溝２ｃの向きを考慮（板状物Ｂの下縁を固定するときは凹溝２ｃを上向き、上縁を固定するときは凹溝２ｃを下向きとする）して内孔２ａの底面に設けたビス通し穴２ｂに挿通したビス５により壁面Ｗに固定する。次いで、前記壁面Ｗに固定され、上下に凹溝２ｃが対向している有底筒体２の凹溝２ｃに板状物Ｂのエッジを横方向にスベリ込ませるように嵌入させてから内孔２ａの雌ねじに充填雄ねじ体３の軸部３ａをドライバー（図示せず）を利用して螺入させる。
【００２０】
前記充填雄ねじ体３の軸部３ａの螺入により板状物Ｂが凹溝２ｃの奥側エッジに押し付けられて固定される。したがって、この第２型固定具１を用いるときは、前記第１型固定具１とは、予め、板状物Ｂに貫通孔６を穿孔しておく必要がない点で区別される。しかる後、前記充填雄ねじ体３の雌ねじ孔３ａに化粧雄ねじ体４の軸部４ａを螺挿すれば、板状物Ｂは図６の如く壁面にしっかり固定できることとなる。
【００２１】
なお、第２型固定具１を用いて板状物Ｂを壁面Ｗに飾る場合において、その板状物Ｂが方形ではなく、雲形や自然物や人工物を模した形状のものである場合、有底筒体２の凹溝２ｃを板状物Ｂのエッジの何処に嵌入するかを画定する。このとき有底筒体２の凹溝２ｃに板状物Ｂのエッジが横スベリ状に嵌入できるように考慮されることは当然である。前記画定した壁面Ｗ上の位置に有底筒体２をその底面に設けたビス挿通穴２ａに通したビス５で固定し、充填雄ねじ体３を螺入して板状物Ｂを締め付け、あとから化粧雄ねじ体４の軸部４ａで仕上げることとなる。したがって、板状物Ｂの形状は方形に限らず、雲形でも、自然物や人工物を模した形状でも壁面Ｗに固定できるものである。
【００２２】
上記第１型固定具１により壁面に固定する板状物Ｂには、予め、化粧雄ねじ体４の軸部４ａを貫通させるための貫通孔６が必要となるので、その材質としては、貫通孔６をあとから加工し易い木質板やプラスチック板が適当であり、一方、第１型固定具１は貫通孔６が必要とならないので、ガラス板、金属板、陶板、石板などの如くあとから加工し難い場合にも有効である。
【産業上の利用可能性】
【００２３】
本願固定具１は、たとえば、社名、事務所名、部署名などを表示した板状物を入口の袖部などの壁面に、また、ミラー等の板状物を室内の壁面に、さらに、展示品を解説するためのボードなどの板状物を展示会場の壁面に飾るなどのときに、美麗に飾ることができ、しかも、第１型固定具１及び第２型固定具１は、それぞれ部品は総て共通であり安価に製造できる点において、産業上の利用可能性は高いものである。
【図面の簡単な説明】
【００２４】
【図１】本願固定具（第１型固定具）を示す分解斜視図である。
【図２】同使用状態を示す断面図である。
【図３】本願固定具（第２型固定具）を示す分解斜視図である。
【図４】同使用状態を示す断面図である。
【図５】第１型固定具を用いて固定した板状物の正面図である。
【図６】第２型固定具を用いて固定した板状物の正面図である。
【図７】従来形固定具の一つの例を示す斜視図である。
【図８】従来形固定具の他の例を示す一部切欠斜視図である。
【符号の説明】
【００２５】
１  本願固定具
２  有底筒体
２ａ  内孔
２ｂ  ビス通し穴
２ｃ  凹溝
２ｃ′溝底
３  充填雄ねじ体
３ａ  軸部
３ｂ  雌ねじ孔
３ｃ  ドライバー溝
４  化粧雄ねじ体
４ａ  軸部
４ｂ  装飾鍔
５  ビス
６  貫通孔
７  パッキング部材
８  パッキング部材
Ｗ  壁面
Ｂ  板状物
【図１】
0004571900.tif 000002
【図２】
0004571900.tif 000003
【図３】
0004571900.tif 000004
【図４】
0004571900.tif 000005
【図５】
0004571900.tif 000006
【図６】
0004571900.tif 000007
【図７】
0004571900.tif 000008
【図８】
0004571900.tif 000009